(57)【要約】      （修正有）【課題】警報器とユーザーとの間に介在し、警報のユーザーへの伝達性やユーザーからの応答性を高め、安全性を向上させる警報ロボット、プログラムおよびシステムを提供する。【解決手段】警報器４と連係する警報ロボット２であって、警報音または応答情報のいずれか一方または双方を検出する検出部１０と、警報音に関係付けられた報知情報３６、応答情報に関係付けられた警報解除情報３８を記憶する記憶部１４と、検出部から検出情報を受けて記憶部から読み出した報知情報または警報解除情報を生成する制御部１２と、警報器と通信して情報の送受を行う通信部１６と、報知情報を表す音声を報知する報知部１８とを備える。【選択図】図１
2019175251.tif 000002
【特許請求の範囲】
【請求項１】
警報器と連係される警報ロボットであって、
警報音または応答情報のいずれか一方または双方を検出する検出部と、
前記警報音に関係付けられた報知情報、前記応答情報に関係付けられた警報解除情報を記憶する記憶部と、
前記検出部から検出情報を受けて前記記憶部から読み出した報知情報または警報解除情報を生成する制御部と、
前記警報器と通信して情報の送受を行う通信部と、
前記報知情報を表す音声を報知する報知部と、
を備えることを特徴とする警報ロボット。
【請求項２】
躯体部を備え、該躯体部に前記検出部、前記記憶部、前記制御部および前記報知部が備えられることを特徴とする請求項１に記載の警報ロボット。
【請求項３】
前記応答情報は、人の音声情報または動作情報を含むことを特徴とする請求項１に記載の警報ロボット。
【請求項４】
前記制御部は、前記検出部が検出した応答情報からメッセージ情報を判別する機能を備えることを特徴とする請求項１に記載の警報ロボット。
【請求項５】
前記制御部は、前記検出部が警報音を検出した際、前記応答情報を検出した後、前記警報解除情報を出力することを特徴とする請求項１に記載の警報ロボット。
【請求項６】
コンピュータにより実現するプログラムであって、
警報音または応答情報のいずれか一方または双方を検出する検出部から検出情報を取り込む機能と、
前記警報音に関係付けられた報知情報、前記応答情報に関係付けられた警報解除情報を記憶部に記憶する機能と、
前記検出情報を受けて前記記憶部から読み出した前記報知情報または警報解除情報を生成する機能と、
警報器と通信して情報の送受を行う機能と、
前記報知情報を表す音声を報知する機能と、
を前記コンピュータにより実現させるためのプログラム。
【請求項７】
警報器と、
警報音またはその応答情報のいずれか一方または双方を検出して報知情報を報知し、または警報解除情報を送出する警報ロボットと、
を備えることを特徴とする警報システム。
【請求項８】
前記警報ロボットは、請求項１ないし請求項５の何れかに記載の警報ロボットであることを特徴とする請求項７に記載の警報システム。
【発明の詳細な説明】
【技術分野】
【０００１】
本発明は、警報器とユーザーの間に介在してユーザーおよび警報器と対話する警報ロボットおよびシステムに関する。
【背景技術】
【０００２】
ガス漏れなどの異常を検出した際、警報器はガス漏れ異常を表す警報としてブザー音などを発し、ユーザーにガス漏れを告知し、必要な対策を促す。
このような警報器には、該警報器に対する操作器が備えられ、この操作器を以て警報器を操作し、警報器からの信号を操作器側に表示することが知られている（たとえば、特許文献１）。
【先行技術文献】
【特許文献】
【０００３】
【特許文献１】特開２０１１−２３２９９５号公報
【発明の概要】
【発明が解決しようとする課題】
【０００４】
警報器はガス漏れなどの異常時に、警報を発してユーザーにその異常を告知し、不測の事態を未然に回避するために必要な対策をすべきことを促すものであるところ、一般に警報はユーザーに衝撃を与える。警報の発動時、ガス漏れ警報器であれば、ユーザーの取るべき対策はガス漏れの停止操作に他ならない。しかし、警報を受けたユーザーが、時に、パニックに陥ってしまい、的確な操作ができない場合には不測の事態に発展するといった課題がある。また、警報器から離れていたり、他の事象に集中している場合には、警報を認識できないために、必要な対応ができない場合も予想される。
そこで、本発明の目的は上記課題に鑑み、警報器とユーザーとの間に介在し、警報のユーザーへの伝達性やユーザーからの応答性を高め、安全性を向上させることにある。
【課題を解決するための手段】
【０００５】
上記目的を達成するため、本発明の警報ロボットの一側面によれば、警報器と連係される警報ロボットであって、警報音または応答情報のいずれか一方または双方を検出する検出部と、前記警報音に関係付けられた報知情報、前記応答情報に関係付けられた警報解除情報を記憶する記憶部と、前記検出部から検出情報を受けて前記記憶部から読み出した報知情報または警報解除情報を生成する制御部と、前記警報器と通信して情報の送受を行う通信部と、前記報知情報を表す音声を報知する報知部とを備える。
この警報ロボットにおいて、躯体部を備え、該躯体部に前記検出部、前記記憶部、前記制御部および前記報知部を備えてよい。
この警報ロボットにおいて、前記応答情報は、人の音声情報または動作情報を含んでよい。
この警報ロボットにおいて、前記制御部は、前記検出部が検出した応答情報からメッセージ情報を判別する機能を備えてよい。
この警報ロボットにおいて、前記制御部は、前記検出部が警報音を検出した際、前記応答情報を検出した後、前記警報解除情報を出力してよい。
【０００６】
上記目的を達成するため、本発明のプログラムの一側面によれば、コンピュータにより実現するプログラムであって、警報音または応答情報のいずれか一方または双方を検出する検出部から検出情報を取り込む機能と、前記警報音に関係付けられた報知情報、前記応答情報に関係付けられた警報解除情報を記憶部に記憶する機能と、前記検出情報を受けて前記記憶部から読み出した報知情報または警報解除情報を生成する機能と、警報器と通信して情報の送受を行う機能と、前記報知情報を表す音声を報知する機能とを前記コンピュータにより実現させる。
【０００７】
上記目的を達成するため、本発明の警報システムの一側面によれば、警報器と、警報音またはその応答情報のいずれか一方または双方を検出して報知情報を報知し、または警報解除情報を送出する警報ロボットとを備える。
この警報システムにおいて、前記警報ロボットは、警報音または応答情報のいずれか一方または双方を検出する検出部と、前記警報音に関係付けられた報知情報、前記応答情報に関係付けられた警報解除情報を記憶する記憶部と、前記検出部から検出情報を受けて前記記憶部から読み出した報知情報または警報解除情報を生成する制御部と、前記警報器と通信して情報の送受を行う通信部と、前記報知情報を表す音声を報知する報知部とを備えてよい。
この警報システムにおいて、前記警報ロボットは、躯体部を備え、該躯体部に前記検出部、前記記憶部、前記制御部および前記報知部を備えてよい。
この警報システムにおいて、前記応答情報は、人の音声情報、または動作情報を含んでよい。
この警報システムにおいて、前記制御部は、前記検出部が検出した応答情報からメッセージ情報を判別する機能を備えてよい。
この警報システムにおいて、前記制御部は、前記検出部が警報音を検出した際、前記応答情報を検出した後、前記警報解除情報を出力してよい。
【発明の効果】
【０００８】
本発明によれば、次のいずれかの効果が得られる。
(1) 警報器の警報とともに、その警報を表す音声情報をユーザーに通報でき、警報の伝達機能を高めることができる。
(2) 警報のみを受ける場合に比較し、警報を表す音声情報の通報により警報内容を通知できるので、警報の衝撃性を緩和し、ユーザーに冷静な対応を促すことができる。
(3) 警報器から離れているユーザーについて、報知部を身近に設置すれば、警報を表す音声情報を以て警報の発動を身近で認識でき、警報器から離れていても迅速に必要な対応を取ることが可能になる。
【図面の簡単な説明】
【０００９】
【図１】一実施の形態に係る警報ロボットおよび警報システムを示す図である。
【図２】警報ロボットの処理シーケンスを示す図である。
【図３】実施例１に係る警報ロボットおよび警報システムを示す図である。
【図４】Ａは警報ロボットのハードウェアを示す図、Ｂは警報器のハードウェアを示す図である。
【図５】Ａは報知情報ファイルを示す図、Ｂは警報解除情報ファイルを示す図、Ｃは制御情報ファイルを示す図である。
【図６】実施例１に係る処理シーケンスを示す図である。
【図７】実施例２に係る警報ロボットを示す図である。
【図８】Ａは実施例２に係る制御情報ファイルを示す図、Ｂはタッチセンサおよびユーザーによる応答動作を示す図である。
【図９】実施例２に係る処理シーケンスを示す図である。
【図１０】実施例３に係る警報システムを示す図である。
【図１１】実施例４に係る警報ロボットを示す図である。
【図１２】Ａは実施例４に係る警報ロボットの動作を示す図、Ｂは表示部のメッセージ表示を示す図である。
【発明を実施するための形態】
【００１０】
＜警報ロボットおよび警報システム＞
図１は、一実施の形態に係る警報ロボットおよび警報システムを示している。図１に示す構成は一例であり、斯かる構成に本発明が限定されるものではない。
警報ロボット２は警報器４と有線または無線により連係される。ユーザー６はたとえば、警報器４による警報時、警報ロボット２を通じて警報器４と対話することができる。よって、警報システム８は警報ロボット２および警報器４により構成される。
警報ロボット２には検出部１０、制御部１２、記憶部１４、通信部１６および報知部１８が備えられる。検出部１０は警報音検出、応答情報検出が可能であり、その検出情報を出力する。警報音は警報器４の煙検出やガス漏れ検出などにより、警報器４から発せられる。
検出部１０はマイクロフォンなどの検出素子を備え、警報音検出２０、応答情報検出２２の機能を備える。警報音検出２０では、警報器４から発せられる警報音を検出し、この警報音検出により検出情報が出力される。
応答情報検出２２では、ユーザー６からの応答情報を検出する。この応答情報は、警報ロボット２からの音声出力に対し、ユーザー６から発せられる音声などの応答を表す。この応答情報を検出したとき、検出部１０から応答情報を表す検出情報が出力される。
【００１１】
制御部１２は、検出情報取込み２４、報知情報生成２６、メッセージ情報判別２８、警報解除情報生成３０、制御情報生成３２、通信制御３４を実行する。記憶部１４には識別情報に関係付けられて報知情報３６、警報解除情報３８、制御情報４０が格納される。報知部１８は報知情報を表す音声を出力する。
【００１２】
＜制御部１２の制御機能＞
制御部１２はたとえば、コンピュータで構成し、情報処理により実現する機能は以下の通りである。
ａ）検出情報取込み２４
検出部１０が警報音または応答情報を検出したとき、制御部１２は検出部１０から検出情報の取込みを行う。
ｂ）報知情報生成２６
報知情報には警報時に生成する報知情報、応答情報の受信時に生成する報知情報が含まれる。警報時、警報音の検出情報に基づき、制御部１２は警報を報知するための報知情報を記憶部１４から読み出し、これを生成する。
応答情報の受信時、制御部１２は、応答情報に対応する報知情報を生成する。
【００１３】
ｃ）メッセージ情報判別２８
検出部１０が応答情報を検知したとき、制御部１２は検出部１０の検出情報である応答情報からメッセージ情報を抽出し判別する。
この判別は、次のような判別パターンの何れかでよい。
ｃ−１）報知情報の報知後、ユーザー６の反応に含まれるメッセージ情報の判別
このメッセージ情報は報知情報の報知後、ユーザー６からの発音情報であればよい。この場合、音声に含まれる言語の判別は不要である。
ｃ−２）報知情報の報知後、ユーザー６が発する音声などをメッセージ情報とする。
このメッセージ情報は報知情報の報知後、ユーザー６から発せられる音声を認識し、この音声認識を用いて、音声情報に含まれるたとえば、キーワードなどの言語音声を認識し、その認識出力をメッセージ情報とする。
【００１４】
ｄ）警報解除情報生成３０
検出部１０の警報音検出に応じて制御部１２の制御により、報知部１８が警報音を表す報知情報を出力した後、ユーザー６からの応答情報が発せられる。この応答情報を検出部１０が検出したとき、制御部１２は応答情報に関係付けられた警報解除情報を記憶部１４から読み出し、これを生成させる。
ｅ）制御情報生成３２
この制御情報生成３２には警報解除情報に基づく警報解除出力が含まれる。制御部１２は警報解除情報を生成したとき、警報器４に対する警報解除の制御出力を生成する。
ｆ）通信制御３４
警報ロボット２と警報器４とを遠赤外線などを用いて通信を確立し、情報授受を行う。このような無線通信に代え、有線による通信を用いてもよい。
【００１５】
＜記憶部１４の記憶情報＞
ｆ）報知情報３６
この報知情報３６は、警報器４が発した警報をユーザー６に報知するための音声情報である。警報ロボット２が警報器４の警報音を認識し、この認識情報を以て報知情報が検索される構成とすればよい。つまり、報知情報を表す音声情報は、警報音に関係付けられて格納された音声情報である。この音声情報には応答情報に対応する報知情報として警報音および応答情報に関係づけられた音声情報が含まれる。
【００１６】
ｇ）警報解除情報３８
この警報解除情報３８は、警報ロボット２がユーザー６から発せられた応答情報を認識し、警報器４の警報解除制御を行うための情報である。
【００１７】
ｈ）制御情報４０
この制御情報４０は、ユーザー６の音声認識などに用いるユーザー音声登録情報を含む各種制御に用いられる情報である。
【００１８】
＜処理シーケンス＞
図２は、警報システム８の処理シーケンスの一例を示している。この処理シーケンスにおいて、Ｓはステップ（工程）を表し、Ｓに付した番号はその順序を示している（以下同様）。
警報ロボット２は初期設定を行い（Ｓ１０１）、この初期設定ではユーザー６の音声登録を行う。たとえば、警報ロボット２の愛称、指示メッセージなどの音声登録を行えばよい。この音声登録は警報ロボット２からのガイダンスに従って、ワードを登録する。つまり、警報解除情報生成のためのキーワード（メッセージ）として、愛称音＝「スーチャン」、メッセージ音＝「ガス」、「トメタ」、「ケイホウキ」、「トメテ」などの音声を登録する。この音声登録は記憶部１４に制御情報４０として格納される。
この初期設定の後、警報ロボット２は報知情報３６および警報解除情報３８を記憶部１４に格納する（Ｓ１０２）。報知情報３６および警報解除情報３８は識別情報に関係付けられて格納される。報知情報３６の識別情報はたとえば、警報音情報、警報解除情報３８の識別情報は応答情報としてたとえば、ユーザー６が発するであろう音声情報（メッセージ情報）とすればよい。
【００１９】
そして、警報器４が異常状態を検出し、警報を発すると（Ｓ１０３）、この警報は警報ロボット２に検出される（Ｓ１０４）。
警報を検出した警報ロボット２は、記憶部１４から報知情報３６を読み出し、この報知情報３６を生成する（Ｓ１０５）。これにより、警報器４は報知情報３６の音声報知を行う（Ｓ１０６）。
音声報知を受けたユーザー６が応答し（Ｓ１０７）、この応答を受けた警報ロボット２は応答情報を検出する（Ｓ１０８）。警報ロボット２は、応答情報からメッセージ情報を判別し（Ｓ１０９）、警報解除情報３８を記憶部１４から読み出して警報解除情報３８を生成し（Ｓ１１０）、警報解除情報３８を出力する（Ｓ１１１）。
警報器４は、警報ロボット２からの警報解除情報３８を取り込み（Ｓ１１２）、警報を解除する（Ｓ１１３）。
【００２０】
＜一実施の形態の効果＞
この一実施の形態によれば、次の効果が得られる。
(1) 警報器４とユーザー６との間に介在する警報ロボット２は、ユーザー６の身近な存在として警報器４からの警報動作をユーザー６に伝え、ユーザー６の応答を警報器４に伝達することができる。
(2) 警報の重大性を損なうことなく、警報ロボット２がユーザー６に対し、取るべき対策をアドバイスでき、その対応の後、警報ロボット２を通じて警報器４に応答することができる。
(3) 警報の衝撃性を緩和できるとともに、必要な対策を迅速化できるなど、安心・安全性を高めることができる。
【００２１】
＜一実施形態の変形例＞
警報ロボット２に通信部１６を備えているので、この通信部１６を用いて、警報器４の通信機能との通信が可能であるが、これは一例であり、警報ロボット２は通信部１６を備えていない構成としてよい。
警報ロボット２の通信部１６が備えるか否かの構成に関し、警報器４の通信機能の有無により、次のようなパターン１、２を想定できる。
パターン１（警報器４に通信機能がある場合）：警報器４の警報時、警報器４側の通信機能を用いて警報ロボット２に通報し、警報ロボット２側の操作（音声操作含む）を警報器４に送信し、警報動作を停止させることができる。
パターン２（警報器４に通信機能が無い場合）：警報器４が発した警報を検出部１０で検出し、警報ロボット２は警報情報と警報停止方法を報知する。この場合、警報器４に通信機能が無いので、警報器４側の操作により、警報器４の警報を停止させればよい。
【実施例１】
【００２２】
＜警報ロボットおよび警報システム＞
図３は、実施例１に係る警報ロボットおよび警報システムを示している。図３において、図１と同一部分には同一符号を付してある。
警報ロボット２の躯体部４２には胴部４４、頭部４６、腕部４８、脚部５０が含まれる。この警報ロボット２には警報音認識機能、発音機能、応答認識機能、解除情報生成機能、通信機能が含まれる。
警報音認識機能は、警報器４が発する警報音を受信し、この警報音に応じて制御情報を生成する。
発音機能は、警報に対応するガイド情報を表す音声を発音する。このガイド情報はたとえば、「バアバ、ガスケイホウキ、ナッテルヨ、ガストメテ」である。
応答認識機能は、ユーザー６からの応答情報たとえば、「スーチャン、ガス、トメタヨ、ケイホウキトメテ」を受音し、これを認識する。
解除情報生成機能は、応答認識機能による応答認識により、警報器４の警報を解除するための解除情報を生成する。
通信機能はたとえば、警報器４の警報発生を契機に警報器４との通信を確立し、警報器４に警報解除情報を伝達する。
【００２３】
＜警報ロボット２のハードウェア＞
図４のＡは、警報ロボット２のハードウェア構成を示している。図４のＡにおいて、図１と同一部分には同一符号を付してある。
検出部１０にはマイクロフォン５２が備えられる。このマイクロフォン５２によれば、警報音やユーザー６の音声が検出され、検出情報として警報音情報や応答情報が出力される。
制御部１２にはコンピュータが備えられ、プロセッサ５４、入出力部５６が備えられる。プロセッサ５４は記憶部１４にあるＯＳ（Operating System）や警報プログラムなどの各種のプログラムを実行し、記憶部１４のアクセス、通信部１６の通信動作、報知部１８の報知動作など、各種機能部の制御を行う。
【００２４】
入出力部５６にはマイクロフォン５２からの検出情報が取り込まれ、報知部１８に対してプロセッサ５４の演算結果である警報情報が出力される。
記憶部１４にはＲＯＭ（Read-Only Memory）、ＲＡＭ（Random-Access Memory）、ＥＥＰＲＯＭ（Electrically Erasable Programmable Read-Only Memory ）などの記憶素子が備えられて構成される。この記憶部１４には報知情報ファイル５８、警報解除情報ファイル６０、制御情報ファイル６２が格納される。報知情報ファイル５８には警報音情報に関係付けられた報知情報３６が格納される。警報解除情報ファイル６０には応答情報に関係付けられた警報解除情報３８が格納される。制御情報ファイル６２には識別情報に関係付けられた制御情報４０が格納される。
報知部１８にはスピーカ６４が備えられ、警報時、警報を表す報知情報が音声によって出力される。
【００２５】
＜警報器４のハードウェア＞
図４のＢは、警報器４のハードウェア構成を示している。図４のＢにおいて、図１と同一部分には同一符号を付してある。
警報器４には異常検出部６６、制御部６８、通信部７０および報知部７２が備えられる。異常検出部６６はガス漏れセンサーなどを備え、ガス漏れ異常時、異常検出情報を出力する。
制御部６８はプロセッサなどを備え、警報制御および警報解除制御を行う。警報制御では異常検出情報を受けたとき、警報出力を生成し、報知部７２を制御して警報を出力させる。警報解除制御では、警報ロボット２からの警報解除情報を受け、警報中の報知部７２の警報動作を停止させる。
【００２６】
通信部７０は制御部６８の制御によってたとえば、警報時、警報ロボット２との通信を確立し、警報ロボット２からの警報解除情報などを受信する。
報知部７２はブザー、スピーカなどの発音手段を備え、制御部６８により制御されて警報を発生する。
【００２７】
＜報知情報ファイル５８＞
この報知情報ファイル５８には図５のＡに示すように、警報音情報部７４および報知情報部７６が備えられる。警報音情報部７４には警報器４の報知部７２から警報ロボット２のマイクロフォン５２に検出される検出情報＝警報音が格納される。報知情報部７６には警報音に関係付けられて報知情報３６が格納され、この報知情報３６はたとえば、「バアバ、ガスケイホウキ、ナッテルヨ、ガストメテ」などの報知すべき音声情報が格納される。また、この報知情報ファイル５８には図示しないが、応答情報に対応する報知情報としてたとえば、「バアバ、ケイホウキ  トメタヨ」などの報知すべき音声情報を格納すればよい。
【００２８】
＜警報解除情報ファイル６０＞
この警報解除情報ファイル６０には図５のＢに示すように、識別情報部７８および警報解除情報部８０が備えられる。識別情報部７８には複数の識別情報Ｘ１、Ｘ２、Ｘ３、・・・が格納される。警報解除情報部８０には識別情報Ｘ１、Ｘ２、Ｘ３、・・・に関係付けられた警報解除を表す情報が格納される。この警報解除を表す情報は警報器４の警報解除のための制御情報である。
【００２９】
＜制御情報ファイル６２＞
この制御情報ファイル６２には図５のＣに示すように、応答情報部８２、識別情報部８４が備えられる。応答情報部８２には、警報時、ユーザー６が発する応答を表すメッセージが格納され、この例では、「スーチャン」、「ガス  トメタヨ」、「ケイホウキトメテ」などが応答情報として格納される。
識別情報部８４にはメッセージ情報を識別するための識別情報Ｘ１、Ｘ２、Ｘ３、・・・が格納される。この例では、「スーチャン」が識別情報Ｘ１、「ガス  トメタヨ」が識別情報Ｘ２、「ケイホウキトメテ」が識別情報Ｘ３に関係付けられている。つまり、「スーチャン」を検出すれば、制御情報ファイル６２を用いて、「スーチャン」が識別情報Ｘ１に変換される。
【００３０】
＜処理シーケンス＞
図６は、実施例１に係る警報システム８の処理シーケンスの一例を示している。
警報ロボット２は初期設定を行い（Ｓ２０１）、この初期設定にはユーザー６の音声設定などが含まれる。この初期設定の後、記憶部１４に報知情報３６、警報解除情報３８の格納を行う（Ｓ２０２）。この情報の格納には警報器４による警報音登録、ユーザー６による応答メッセージ登録が含まれる。
【００３１】
警報音登録では、警報器４に試験的に警報音を発声させ、この警報音を音声情報として報知情報ファイル５８（図５のＡ）の警報音情報部７４に登録する。この場合、報知情報部７６には予め、報知情報として「バアバ、ガスケイホウキ、ナッテルヨ、ガストメテ」が登録されており、この報知情報と関係付ける警報音が登録される。つまり、検出した警報音から「バアバ、ガスケイホウキ、ナッテルヨ、ガストメテ」の読出しを可能にしている。
【００３２】
応答メッセージ登録では、警報に応答すべきユーザー６の声およびそのメッセージを登録する。ユーザー６に「スーチャン、ガス、トメタヨ、ケイホウキトメテ」を発声させ、このフレーズ中の要素「スーチャン」、「ガス  トメタヨ」、「ケイホウキトメテ」を登録する。つまり、「スーチャン、ガス、トメタヨ、ケイホウキトメテ」の連続フレーズから要素「スーチャン」、「ガス  トメタヨ」、「ケイホウキトメテ」を抽出し、これを応答情報として識別情報Ｘ１、Ｘ２、Ｘ３、・・・に関係付け、制御情報ファイル６２（図５のＣ）の応答情報部８２に登録し、各要素には識別情報Ｘ１、Ｘ２、Ｘ３、・・・が付与される。
この結果、警報解除情報ファイル６０（図５のＢ）の識別情報Ｘ１、Ｘ２、Ｘ３、・・・として「スーチャン」、「ガス  トメタヨ」、「ケイホウキトメテ」のそれぞれが警報解除に関係付けられる。つまり、連続フレーズの検出から要素検出を以て警報解除情報への変換精度が高めるため、応答情報の冗長度を拡大している。
【００３３】
そして、警報器４が異常状態を検出し（Ｓ２０３）、警報を報知すると（Ｓ２０４）、この警報は警報ロボット２に検出される（Ｓ２０５）。
警報を検出した警報ロボット２は、記憶部１４から報知情報３６を読み出し、この報知情報３６を生成する（Ｓ２０６）。これにより、警報器４は報知情報３６の音声報知を行う（Ｓ２０７）。
音声報知を受けたユーザー６が応答し（Ｓ２０８）、この応答を受けた警報ロボット２は応答情報を検出する（Ｓ２０９）。警報ロボット２は、応答情報からメッセージ情報を判別し（Ｓ２１０）、警報解除情報３８を記憶部１４から読み出して警報解除情報３８を生成し（Ｓ２１１）、警報解除情報３８を出力する（Ｓ２１２）。
警報器４は、警報ロボット２からの警報解除情報３８を取り込み（Ｓ２１３）、警報を解除する（Ｓ２１４）。
なお、この実施例１では、連続した応答フレーズから要素を抽出して警報解除を関係付けているが、要素は単語の他、複数の単語からなるフレーズでもよく、また、口笛などの音声でもよい。つまり、警報解除という側面から、容易かつ迅速に警報解除に至る音声認識のレベルを低く設定することが有効である。
【００３４】
＜実施例１の効果＞
この実施例１によれば、次の効果が得られる。
(1) ユーザー６は警報器４から警報音を受けるとともに、警報ロボット２からも警報音の意味するメッセージ情報の提供を受けることができ、警報に対応した必要な処理を迅速に行うことができる。
(2) 警報音を受けるユーザー６の衝撃を緩和でき、ユーザー６は慌てることなく、必要な対策を講じることができ、信頼性の高い対応を取ることができる。
(3) 警報ロボット２は警報器４から離れてユーザー６の身近に置くことができ、警報音を直接受音できない場合であっても、警報ロボット２から的確な情報を受け取ることができ、安全性の高い警報システムを構築できる。
【実施例２】
【００３５】
＜警報ロボット２および警報システム８＞
図７は、実施例２に係る警報ロボット２および警報システム８を示している。図７において、図４と同一部分には同一符号を付してある。
この実施例２では、検出部１０にタッチセンサ８６が備えられる。タッチセンサ８６はユーザー６の手などのタッチを検出し、この検出情報が応答情報として入出力部５６に取り込まれる。このタッチ情報はたとえば、識別情報Ｘ４として制御情報ファイル６２の応答情報として登録される。つまり、警報解除情報ファイル６０でタッチ情報が識別情報Ｘ４を介して警報解除に関係付けられる。
その他の構成は実施例１と同様であるので、同一符号を付し、その説明を割愛する。
【００３６】
＜制御情報ファイル６２＞
実施例２に係る制御情報ファイル６２には、図８のＡに示すように、タッチ情報に関係付けられた識別情報Ｘ４を格納する。これにより、識別情報Ｘ４で識別されるタッチ情報が警報解除情報に関係付けられる。
【００３７】
＜タッチセンサ８６およびその操作＞
図８のＢは、タッチセンサ８６およびユーザー６によるタッチ操作を示している。
タッチセンサ８６は警報ロボット２の頭部４６の上部に設置し、ユーザー６のたとえば、手でタッチ可能にすればよい。このタッチセンサ８６は、警報の報知後、タッチ検出を有効にすれば、警報の報知を受けたユーザー６が警報ロボット２の頭部４６にあるタッチセンサ８６に触れ、これにより、応答情報を警報ロボット２に入力することができる。
【００３８】
＜処理シーケンス＞
図９は、実施例２に係る警報システム８の処理シーケンスの一例を示している。
警報ロボット２は初期設定を行い（Ｓ３０１）、この初期設定に続き、記憶部１４にタッチ情報の格納を行う。
そして、警報器４が異常状態を検出し、警報を報知すると（Ｓ３０３）、この警報は警報ロボット２に検出される（Ｓ３０４）。
警報を検出した警報ロボット２は、記憶部１４から報知情報３６を読み出し、この報知情報３６を生成する（Ｓ３０５）。これにより、警報器４は報知情報３６の音声報知を行う（Ｓ３０６）。
音声報知を受けたユーザー６がタッチ応答をし（Ｓ３０７）、このタッチ応答を受けた警報ロボット２はタッチ情報を検出する（Ｓ３０８）。警報ロボット２は、タッチ情報に関係付けられた警報解除情報３８（制御情報ファイル６２および警報解除情報ファイル６０）を記憶部１４から読み出して警報解除情報３８を生成し（Ｓ３０９）、この警報解除情報３８を出力する（Ｓ３１０）。
警報器４は、警報ロボット２からの警報解除情報３８を取り込み（Ｓ３１１）、警報を解除する（Ｓ３１２）。
なお、この実施例２では、タッチ応答のみを記載しているが、実施例１の音声応答を併用し、警報解除を行ってもよい。
【００３９】
＜実施例２の効果＞
この実施例２によれば、次の効果が得られる。
(1) ユーザー６の身近に警報ロボット２を設置し、警報の発動時、必要な対応を取った後、タッチ操作で警報解除を行うことができる。
(2) 音声登録をしていないユーザー６による警報解除ができ、利便性の高いシステムを構築できる。
【実施例３】
【００４０】
＜警報システム８＞
図１０は、実施例３に係る警報システム８を示している。図１０において、図１と同一部分には同一符号を付してある。
上記実施例では、警報ロボット２が制御部１２の制御機能や記憶部１４の記憶機能を備えているが、本発明は斯かる構成に限定されるものではない。警報ロボット２をインターネットなどのネットワーク８８を介してサーバ８９に有線または無線により接続して警報システム８を構成し、サーバ８９側で警報ロボット２側の制御部１２の制御機能や記憶部１４の機能を果たさせてもよい。サーバ８９に通信部９０、プロセッサ９２、記憶部９４を備えれば、警報ロボット２との通信による情報の授受など、警報ロボット２で実行した機能をサーバ８９側で実現できる。
【００４１】
＜実施例３の効果＞
この実施例３によれば、警報ロボット２側の構成を簡略化できるとともに、複数の警報ロボットを共通のサーバで管理することができる警報システムを実現できる。
【実施例４】
【００４２】
＜警報ロボット２＞
図１１は、実施例４に係る警報ロボット２を示している。図１１において、図４と同一部分には同一符号を付してある。
この実施例４では、入出力部５６に報知部１８としてスピーカ６４に加え光源９６、表示部９８が備えられ、警報時、光源９６を連続発光または点滅させて警報を報知させ、表示部９８に警報を表すメッセージ情報を文字で表示させる。光源９６にはたとえば、ＬＥＤ（Light Emitting Diode）などの発光素子を用いればよい。この光源９６は警報ロボットの躯体部４２の全体またはその一部たとえば頭部４６に備え、躯体部４２の全体を発光させてもよいし、その一部を発光させてもよい。また、表示部９８はＬＣＤ（Liquid Crystal Display）などを用いればよい。
【００４３】
＜実施例４の効果＞
この実施例４によれば、次の効果が得られる。
(1) 図１２のＡに示すように、警報時、光源９６の連続点灯または点滅により警報ロボット２を発光させ、ユーザーに警報動作を発光により報知することができる。警報器４からの警報音を聴取しにくい場合にも、警報を容易に認識させることができる。
(2) 図１２のＡおよびＢに示すように、表示部９８の表示画面１００に既述の音声メッセージを文字化し、メッセージ情報１０２としてたとえば、「バアバ、ガスケイホウキ、ナッテルヨ、ガストメテ」などを表示すれば、文字情報によって警報動作を報知することができる。
なお、この実施例４では、警報ロボット２の発光動作と文字による表示動作を併用しているが、いずれか一方でもよい。また、既述の実施例の音声報知を併用してもよい。
【００４４】
〔他の実施の形態〕
上記実施の形態では、連続した応答メッセージから要素を抽出し、各要素に警報解除を関係付けたが、応答メッセージのフレーズと警報解除以外のガイド情報を関係付け、必要な対応が行えるようにガイド範囲を拡大してもよい。
【００４５】
以上説明したように、本発明の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
【産業上の利用可能性】
【００４６】
本発明によれば、警報器に対して対話可能な警報ロボットを備えることにより、警報動作時のユーザーの安全性をより高めることができる。
【符号の説明】
【００４７】
２  警報ロボット
４  警報器
６  ユーザー
８  警報システム
１０  検出部
１２  制御部
１４  記憶部
１６  通信部
１８  報知部
２０  警報音検出
２２  応答情報検出
２４  検出情報取込み
２６  報知情報生成
２８  メッセージ情報判別
３０  警報解除情報生成
３２  制御情報生成
３４  通信制御
３６  報知情報
３８  警報解除情報
４０  制御情報
４２  躯体部
４４  胴部
４６  頭部
４８  腕部
５０  脚部
５２  マイクロフォン
５４  プロセッサ
５６  入出力部
５８  報知情報ファイル
６０  警報解除情報ファイル
６２  制御情報ファイル
６４  スピーカ
６６  異常検出部
６８  制御部
７０  通信部
７２  報知部
７４  警報音情報部
７６  報知情報部
７８  識別情報部
８０  警報解除情報部
８２  応答情報部
８４  識別情報部
８６  タッチセンサ
８８  ネットワーク
８９  サーバ
９０  通信部
９２  プロセッサ
９４  記憶部
９６  光源
９８  表示部
１００  表示画面
１０２  メッセージ情報
【図１】
2019175251.tif 000003
【図２】
2019175251.tif 000004
【図３】
2019175251.tif 000005
【図４】
2019175251.tif 000006
【図５】
2019175251.tif 000007
【図６】
2019175251.tif 000008
【図７】
2019175251.tif 000009
【図８】
2019175251.tif 000010
【図９】
2019175251.tif 000011
【図１０】
2019175251.tif 000012
【図１１】
2019175251.tif 000013
【図１２】
2019175251.tif 000014